(57)【要約】【課題】不使用時では高さが低くなる扁平コンパクト化させて取り扱いを簡便にし、折り畳み状態で多段的に積み重ねてもきっちりと整列されるようにする。【解決手段】底板１の前後縁に後側壁部５、前側壁部２１夫々を立設し、左右縁に左右側壁部１１を立設して成る。また底板１の後縁に揺動起伏自在に連結した後側壁部５の左右のいずれか一方に底板１の内方側に折曲した連結支持部６を設け、この連結支持部６内に左右側壁部１１を折り伏し収納するように左右側壁部１１を後側壁部５の左右縁に揺動自在に連結する。底板１の前縁に二つ折り状の前側壁部２１を揺動起伏自在に連結し、この前側壁部２１の左右縁には左右側壁部１１の前縁に係止する係止手段２５を付設する。底板１の四隅の底面に脚台２を、上面に、各側壁部５，１１，２１を折り畳んだ合計厚さに比し低くはない支持部３を設ける。【選択図】      図１
2005041545.tif 000002
【特許請求の範囲】
【請求項１】
底板の前後縁に後側壁部、前側壁部夫々を立設し、左右縁に左右側壁部を立設して成る物品収納容器において、底板の後縁に揺動起伏自在に連結した後側壁部の左右のいずれか一方に底板の内方側に折曲した連結支持部を設け、この連結支持部内に左右側壁部を折り伏し収納するように左右側壁部を後側壁部の左右縁に揺動自在に連結してあることを特徴とする組立式物品収納容器。
【請求項２】
底板の前後縁に後側壁部、前側壁部夫々を立設し、左右縁に左右側壁部を立設して成る物品収納容器において、底板の後縁に揺動起伏自在に連結した後側壁部の左右のいずれか一方に底板の内方側に折曲した連結支持部を設け、この連結支持部内に左右側壁部を折り伏し収納するように左右側壁部を後側壁部の左右縁に揺動自在に連結すると共に、底板の前縁に二つ折り状の前側壁部を揺動起伏自在に連結し、この前側壁部の左右縁には左右側壁部の前縁に係止する係止手段を付設してあることを特徴とする組立式物品収納容器。
【請求項３】
底板の底面四隅には脚台を固着すると共に、底板の上面四隅には、底板上に折り畳まれる各側壁部の合計の折り畳み高さに比し低くはない高さを有する支持部を配設してある請求項１または２のいずれかに記載の組立式物品収納容器。
【請求項４】
左右側壁部の前後部に上下方向に沿う帯状の補強支持板を底縁、上縁間で固定形成し、この補強支持板の上部には上下方向にスライドするフック部を設けてある請求項１乃至３のいずれかに記載の組立式物品収納容器。
【請求項５】
補強支持板の下部には、底板における左右縁部に対して位置決め固定する固定手段を設けてある請求項４に記載の組立式物品収納容器。
【請求項６】
固定手段は底板における前後左右縁部にサポート片を立設状に付設し、このサポート片にストッパーピンを底板の内方に向けて突設する一方、このストッパーピンに嵌め合わせ係合するストッパー孔を補強支持板の下部に穿設して成る請求項５に記載の組立式物品収納容器。
【発明の詳細な説明】
【技術分野】
【０００１】
本発明は例えば建築工事現場、各種製造工場等で各種の資材、工具類、廃材その他を一時的にでも収納保管し、また収納状態の儘で運搬できるようにした籠製のいわゆるメッシュパレットと称される組立式物品収納容器に関する。
【背景技術】
【０００２】
従来からこの種の一般的な籠製の物品収納容器は、平面から見てほぼ矩形状を呈する所定大きさの底板の周囲に左右の側壁部、前後の側壁部を立設状に配置連結して上方開口の容器本体を形成するものとし、また各側壁部は格子状の線材によって網目状に形成されているのである。そして不使用時のコンパクト化を図るために底板上に各側壁部が折り畳まれるように例えば後側壁部の基部を底板の後部縁に起伏自在に連結し、この後側壁部の左右縁夫々で左右の側壁部夫々を揺動自在に連結すると共に、底板の前部縁に前側壁部を起伏自在に連結することで構成するのであり、底板に対し起立させた後側壁部の左右縁で左右の側壁部夫々を揺動開放させて底板の左右部縁上で立設状に固定すると共に、底板に対し起立させた前側壁部の左右部縁を左右の側壁部の前部縁に連結固定する構成としているのである（特許文献１参照）。
【特許文献１】登録実用新案第３０２９５０７号公報
【発明の開示】
【発明が解決しようとする課題】
【０００３】
ただ、この従来の物品収納容器によると、底板に対する各側壁部の折り畳み時には、底板に対してきっちりと平行的に被さるように折り畳むことはできず、その起伏部位を支点として僅かにでも半ば起立するような傾斜状態となり、特に最後に折り畳み重ね合わせる側壁部がいわば浮いた状態となって不安定となっているのである。そのため、取り扱いには不便で、面倒なものであるばかりでなく、多数のものを積み重ね状に保管するとしても、折り畳んで多段的に積み重ねるには極めて不安定となり、崩れやすいものであった。すなわちこれは、所定径の棒線材によって組合せ形成された格子状の各側壁部自体の厚みを考慮していないことと、各側壁部の起伏支点を底板の縁部、後側壁部の左右縁夫々に配置し形成していることに起因しているものである。
【０００４】
そこで本発明は叙上のような従来存した諸事情に鑑み創出されたもので、不使用時における折り畳み状態を高さが低くなるようコンパクトに扁平化されたものとして取り扱いを簡便に行えるようにし、またその折り畳み状態で多段的に積み重ねてもきっちりと整列されるものとした組立式物品収納容器を提供することを目的とする。
【課題を解決するための手段】
【０００５】
上述した課題を解決するため、本発明にあっては、底板１の前後縁に後側壁部５、前側壁部２１夫々を立設し、左右縁に左右側壁部１１を立設して成る物品収納容器において、底板１の後縁に揺動起伏自在に連結した後側壁部５の左右のいずれか一方に底板１の内方側に折曲した連結支持部６を設け、この連結支持部６内に左右側壁部１１を折り伏し収納するように左右側壁部１１を後側壁部５の左右縁に揺動自在に連結してあるものである。  また底板１の前後縁に後側壁部５、前側壁部２１夫々を立設し、左右縁に左右側壁部１１を立設して成る物品収納容器において、底板１の後縁に揺動起伏自在に連結した後側壁部５の左右のいずれか一方に底板１の内方側に折曲した連結支持部６を設け、この連結支持部６内に左右側壁部１１を折り伏し収納するように左右側壁部１１を後側壁部５の左右縁に揺動自在に連結すると共に、底板１の前縁に二つ折り状の前側壁部２１を揺動起伏自在に連結し、この前側壁部２１の左右縁には左右側壁部１１の前縁に係止する係止手段２５を付設してあるものである。
そして、底板１の底面四隅には脚台２を固着すると共に、底板１の上面四隅には、底板１上に折り畳まれる各側壁部５，１１，２１の合計の折り畳み高さに比し低くはない高さを有する支持部３を配設して構成することができる。
左右側壁部１１の前後部に上下方向に沿う帯状の補強支持板１２を底縁、上縁間で固定形成し、この補強支持板１２の上部には上下方向にスライドするフック部１５を設けて構成することができる。
補強支持板１２の下部には、底板１における左右縁部に対して位置決め固定する固定手段１６を設けて構成することができ、この固定手段１６は底板１における前後左右縁部にサポート片１７を立設状に付設し、このサポート片１７にストッパーピン１８を底板１の内方に向けて突設する一方、このストッパーピン１８に嵌め合わせ係合するストッパー孔１９を補強支持板１２の下部に穿設して成るものである。
【０００６】
以上のように構成された本発明に係る組立式物品収納容器にあって、底板１の前後では後側壁部５、前側壁部２１が、左右では左右側壁部１１が夫々揺動立設されることで周囲が囲繞された収納容器を組み立てさせ、また特に左右側壁部１１は後側壁部５の連結支持部６内に折り伏されて収納されることで、全体の折り畳み時では底板１上に各側壁部５，１１，２１夫々をほぼ扁平状に折り畳ませ、コンパクト化させる。
底板１四隅の脚台２、支持部３は、底板１上に折り畳まれた各側壁部５，１１，２１夫々を上下方向で回避させて折り畳み状態の本発明収納容器をほぼ水平状にして多段的に積み重ねさせる。
底板１上の後縁位置で揺動起立させた後側壁部５の前縁で左右方向に展開揺動した左右側壁部１１は、固定手段１６によって底板１上に起立状態で維持され、また底板１上の前縁位置で揺動起立させた前側壁部２１は係止手段２５によって左右側壁部１１の前縁位置に係止位置決めされることで底板１の周囲をしっかりと囲繞させる。
また囲繞組立後、左右側壁部１１の補強支持板１２におけるフック部１５によって、本発明収納容器自体をこれに収納した被収納物Ｐ等をも適当なクレーンフックＣによって懸垂移動させる。
【発明の効果】
【０００７】
本発明は以上のように構成されているため、不使用時にあっては底板１上に各側壁部５，１１，２１を扁平状に折り畳み重ねることで高さが低くなる扁平化されたコンパクトなものとなり、取り扱いが簡便になり、またその折り畳み状態で多段的に積み重ねてもきっちりと整列されたものとすることができる。
【０００８】
特に、底板１の後縁に揺動起伏自在に連結した後側壁部５の左右のいずれか一方に底板１の内方側に折曲して設けた連結支持部６内に左右側壁部１１を折り伏し収納するように左右側壁部１１を後側壁部５の左右縁に揺動自在に連結してあるため、折り畳み収納時では左右側壁部１１を後側壁部５内にきっちりと収納保持でき、従来のように折り畳み時に半ば起立した傾斜状態とはならないのである。そのため、底板１四隅の底面、上面に設けた脚台２、支持部３と相俟ち、折り畳み状態の本発明収納容器を多段的に積み重ねてもきちんと整列されたものとなり、例えば大量に積載して輸送するにしても、使用現場等で保管するにしても安定したものとなり、取り扱いも容易になるものである。
【０００９】
また組立時には、後側壁部５から左右に展開させて底板１上に起立させた左右側壁部１１の下部を固定手段１６によって底板１上に位置決め固定するから、左右側壁部１１は座板１上にしっかりと起立保持される。更に底板１の前縁で起立させた前側壁部２１は、この前側壁部２１の左右縁と左右側壁部１１の前縁とを係止する係止手段２５によってしっかりと連結されることで底板１上の前後左右は各側壁部５，１１，２１によって囲繞されるのである。
【００１０】
左右側壁部１１の前後では補強支持板１２を固着配置してあるから、左右側壁部１１自体を補強しているばかりでなく、この補強支持板１２に関連してフック部１５を付設してあるから、フック部１５を利用した全体の懸垂移動も容易であり、しかもこのフック部１５は上下にスライド可能であるから、不使用時では下方に退避させておくことで邪魔にならないものである。また同様に補強支持板１２に関連して設けた固定手段１６によって左右側壁部１１と底板１との係合固定も確実なものとなり、底板１上に左右側壁部１１を起立状にしてしっかりと固定維持できるのである。
【００１１】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１２】
以下図面を参照して本発明を実施するための最良の一形態を説明すると、図において示される符号１はベースとなる底板であり、図示のように例えば断面でほぼＬ字状の前後の枠材、左右の枠材によって平面で矩形状を呈するように構枠すると共に、前後あるいは左右に沿って配された適数の例えば断面でほぼ溝形状を呈する補強桟１Ａを左右の枠材、前後の枠材相互間夫々に横架し、全域に所定径の番線材を例えば前後、左右方向で格子状に配設固着することで形成してある。
【００１３】
この底板１の底面四隅には、床面・地面等に載置させるときの脚台２が固着されており、この脚台２は例えば左右縁に下方に垂設された支持片を備え、この脚台２上方の底面四隅に配置された後述する支持部３上に載置されたときの上下方向に沿った整列が確実に行えるように配慮してある。また底板１の上面四隅には、底板１上に折り畳まれる各側壁部５，１１，２１の合計の折り畳み高さに比し低くはない高さを有する支持部３を配設してあり、この支持部３は図示のように所定径の番線材を側面から見てほぼコ字状に折曲すると共に、その上辺部分に中央側が高くなる段部を折曲形成したものである。
【００１４】
底板１の後部縁には後側壁部５が底板１に対して起伏自在となるように揺動自在に連結されている。この後側壁部５自体は底縁、上縁、左右側縁夫々を形成する棒線材によって正面から見てほぼ矩形状を呈するように周囲が枠組されており、全域に所定径の番線材を例えば前後、左右方向で格子状に配設固着することで形成してある。そして底縁、上縁夫々の左右部分のいずれか一方は平面から見て底板１の内方側に向かって折曲されていることで左右側壁部１１のいずれか一方、例えば右側壁部１１を連結する連結支持部６を形成しており、この連結支持部６自体の長さは左右側壁部１１を後側壁部５に対し起伏させるとき、倒伏させた左右側壁部１１夫々が十分に収納可能な高さが確保できる幅員に設定されている。なお、いずれか他方、例えば左側壁部１１は後側壁部５の左縁に直接に揺動自在に連結してある。
【００１５】
また連結支持部６では、底縁、上縁相互間で連結枠材６Ａが連結固定されており、この連結枠材６Ａに左右側壁部１１のいずれか一方が揺動自在に連結されているのである。更に必要があれば、この連結支持部６は、後側壁部５の左右夫々に設けることもでき、その場合には、夫々で底板１の内方側への折曲長さを異ならしめて左右側壁部１１夫々が後側壁部５に対して揺動自在に折り伏されるとき、いずれかが一方が他方に対して全面的に並行した状態になるように折り畳めるようにすることができる。このときの左右の連結支持部６相互における折曲長さの相違は左右側壁部１１夫々における折り畳み厚さにほぼ対応したものとされるのは勿論である。もとより図示のように、後側壁部５の左右幅員に比し左右側壁部１１の前後幅員が十分に小さく、後側壁部５に対する左右側壁部１１の折り伏し時に左右側壁部１１が連結支持部６内に収納可能であれば、連結支持部６の長さはほぼ等しくされることもある。なお、この連結支持部６は後側壁部５の左右縁の少なくともいずれか一方に設けられていればよく、上述のように左右縁夫々に設けられても、いずれか一方だけでもよいのである。
【００１６】
この後側壁部５の左右側縁には、起立させた後側壁部５に対して左右方向で展開・開閉される左右側壁部１１が揺動自在に連結されている。この左右側壁部１１夫々は、底縁、上縁、前後側縁夫々を形成する棒線材によって側面から見てほぼ矩形状を呈するように周囲が枠組されており、全域に所定径の番線材を例えば前後、左右方向で格子状に配設固着すると共に、前後部に上下方向に沿う帯状の補強支持板１２を底縁、上縁間で固定形成してある。なお、この左右側壁部１１のいずれか一方は連結支持部６に連結され、他方は後側壁部５に直接に連結されるから、連結支持部６に連結される一方のものは、連結支持部６の長さに対応した分で他方のものに比し短く形成される。
【００１７】
補強支持板１２は左右側壁部１１の外側面に配設してあり、その上部には上下方向にスライドすることで、本発明に係る収納容器自体を懸垂移動させるためのフック部１５を設けてある。図示例にあってのフック部１５は、補強支持板１２の上部に前後で対状に配した短パイプ状のスライドガイド１５Ａにループ状のフック材１５Ｂを抜脱されることなくスライド自在に挿入したものであり、フック材１自体はほぼＵ字状に折曲された所定径の棒線材の自由端相互を同様な直線状の棒線材で連結して成り、上方にスライドされたときのフック材１５Ｂ上部は左右側壁部１１上方に突出したものとなるようにしてある。
【００１８】
また、この左右側壁部１１における補強支持板１２の下部には、底板１における左右縁部に対して位置決め固定する固定手段１６を設けてある。この固定手段１６は底板１における前後左右縁部にサポート片１７を立設状に付設し、このサポート片１７にストッパーピン１８を底板１の内方に向けて突設する一方、このストッパーピン１８に嵌め合わせ係合するストッパー孔１９を補強支持板１２の下部に穿設したものである。尚、この固定手段１６におけるサポート片１７は前記支持部３位置に合わせ、ストッパーピン１８は支持部３内部に配置されるものとしてある。こうすることで後側壁部５を起立後に左右側壁部１１を左右に開放展開したときに固定手段１６によって左右側壁部１１が起立状に位置決め固定されるのである。
【００１９】
更に底板１の前縁部には、起伏自在な前後に二つ折り状に折り畳まれる前側壁部２１が揺動自在に連結されている。この前側壁部２１自体は下部である固定前壁部２２の前面外側に上部である揺動前壁部２３が折り伏されて二つ折りされるよう正面から見てほぼ矩形状ものとしてあって、底縁、上縁、折曲部分の上下縁夫々、上下部の左右側縁を形成する所定径の棒線材にて区画されて上下部夫々が横長矩形状に形成され、上下部夫々の全域には所定径の番線材を例えば上下、左右方向で格子状に配設固着すると共に、固定前壁部２２、揺動前壁部２３夫々の上部左右側縁に左右側壁部１１夫々の前縁に対する係止手段２５を付設したものである。
【００２０】
係止手段２５は、固定前壁部２２、揺動前壁部２３の前面に左右にスライドするよう、固定前壁部２２、揺動前壁部２３の前面に配装したスライドガイド２６に挿入したスライドハンドル材２７を左右側壁部１１の前縁に付設したループ状のストッパー２８に着脱自在に嵌め入れるようにしたものである。図示例にあってのスライドガイド２６、スライドハンドル材２７夫々は、所定径の番線材を折曲、組み合わせて固着することで形成してあり、前側壁部２１自体の折り畳み時ではスライドハンドル材２７を待避させ、立設組立時ではスライドハンドル材２７を突出させてストッパー２８に嵌め入れるものである。
【００２１】
尚、各側壁部５，１１，２１夫々を区画形成している棒線材は直径が例えば１０ｍｍ程度の棒鋼材とされ、格子を形成する番線材は直径が例えば３ｍｍ程度の鋼線材とされるも、これ等に限定されるものでないことは勿論である。また格子状となる鋼線材は、場合によっては波線材とされ、また交差部位においては溶接固着されることもある。
【００２２】
また底板１に対する後側壁部５の揺動支点となる底板１後縁と後側壁部５底縁との間、後側壁部５に対する左右側壁部１１の揺動支点となる後側壁部５における左右縁のいずれか及び連結支持部６前縁と左右側壁部１１後縁との間、底板１に対する前側壁部２１の揺動支点となる底板１前縁と前側壁部２１底縁との間、前側壁部２１を二つ折りさせる揺動支点である固定前壁部２２上縁と揺動前壁部２３下縁との間夫々は、これら夫々を区画形成している周囲の枠材である棒線材相互を隣接させて螺旋状に巻回する番線材製の蝶番線材３１によって揺動自在に連結されているのである。
【００２３】
次にこれの使用の一例を説明するに、不使用時には底板１上に前側壁部２１が先ず折り畳まれており、その上に、左右側壁部１１が左右から内部に折り伏されている後側壁部５が次いで折り畳まれて、支持部３の高さに比し低い位置に収まるように各側壁５，１１，２１が積み重ね状となって折り畳まれているのである（図７（Ａ）参照）。この折り畳み状態から組み立てるには、先ず後側壁部５を後上方に揺動させて起立させ（図７（Ｂ）参照）、次にこの起立させた後側壁部５内部に折り伏されている左右側壁部１１を連結支持部６及び後側壁部５の左右縁のいずれかを揺動支点として左右方向に拡開展開し、固定手段１６によって左右側壁部１１の下部を底板１の左右縁上部に固定する（図８（Ｃ）、（Ｄ）参照）。然る後、二つ折り状になっている前側壁部２１を底板１上から前上方に揺動させて起立させ、固定前壁部２２を係止手段２５によって左右側壁部１１前縁に係止固定し（図９（Ｅ）参照）、次いで揺動前壁部２３を上方に揺動起立させて同じく係止手段２５によって左右側壁部１１前縁に係止固定するのである（図９（Ｆ）参照）。こうして組み立てられることで、内部に所定の例えば建築工事現場、製造工場その他における各種資材等の被収納物Ｐを収納保管するのであり、また図１０に示すように左右側壁部１１の補強支持板１２に付設のフック部１５に係合するクレーンフックＣによって懸垂移動され、あるいは図６に示すように脚台２によって多数段で積み重ね使用されるものである。
【００２４】
不使用時であるときに折り畳むには、組み立てるときとは逆の作業によって行うのであり、先ず前側壁部２１を底板１上に折り畳み、左右側壁部１１を後側壁部５内に折り伏した後、前側壁部２１上に重ねるように折り畳むのである。尚、前側壁部２１を折り畳むに際し、固定前壁部２２、揺動前壁部２３を二つ折り状にするも、そのまま広げたままで底板１上に折り畳むも何れであってもよく、また組立時に固定前壁部２２、揺動前壁部２３を同時に左右側壁部１１に係止するも差し支えないものである。
【図面の簡単な説明】
【００２５】
【図１】本発明を実施するための最良の形態を示す分解斜視図である。
【図２】同じく底板を示し、その（Ａ）は一部切欠平面図、（Ｂ）は（Ａ）におけるＢ−Ｂ線断面図である。
【図３】同じく左右側壁部を後側壁部内に折り畳むときの平面図である。
【図４】同じく左右側壁部を固定した状態の要部斜視図である。
【図５】同じく前側壁部を組み立てた状態の要部斜視図である。
【図６】同じく積み重ね時の側面図である。
【図７】同じく組立時の斜視図で、その（Ａ）は不使用時の折り畳み状態における斜視図、（Ｂ）は後側壁部を起立させたときの斜視図である。
【図８】同じく組立時の斜視図で、その（Ｃ）は右側壁部を開放し、起立した組立時の斜視図、（Ｄ）は左側壁部を開放し、起立した組立時の斜視図である。
【図９】同じく組立時の斜視図で、その（Ｅ）は前側壁部における固定前壁部を起立した組立時の斜視図、（Ｆ）は更に揺動前壁部を起立させて組み立てたときの斜視図である。
【図１０】同じく懸垂移動時等の使用状態時の一例における斜視図である。
【符号の説明】
【００２６】
Ｃ…クレーンフック                      Ｐ…被収納物
１…底板                                １Ａ…補強桟
２…脚台                                ３…支持部
５…後側壁部                            ６…連結支持部
６Ａ…連結枠材
１１…左右側壁部                        １２…補強支持板
１５…フック部                          １５Ａ…スライドガイド
１５Ｂ…フック材
１６…固定手段                          １７…サポート片
１８…ストッパーピン                    １９…ストッパー孔
２１…前側壁部                          ２２…固定前壁部
２３…揺動前壁部                        ２５…係止手段
２６…スライドガイド                    ２７…スライドハンドル材
２８…ストッパー
３１…蝶番線材
【図１】
2005041545.tif 000003
【図２】
2005041545.tif 000004
【図３】
2005041545.tif 000005
【図４】
2005041545.tif 000006
【図５】
2005041545.tif 000007
【図６】
2005041545.tif 000008
【図７】
2005041545.tif 000009
【図８】
2005041545.tif 000010
【図９】
2005041545.tif 000011
【図１０】
2005041545.tif 000012